(57)【要約】【課題】ハロゲンランプ等の照明具で熔接部及び、その周辺を照明することによりカメラ機能付液晶ディスプレーで透視画像として、これを目視しながら熔接することが可能となる。【解決手段】アーク熔接部及び、その周辺をしゃ光保護具上部に設けたハロゲンランプ等の可視光量の多い照明具で照明し、この反射光をしゃ光度番号中程度のしゃ光ガラスフィルターを通しカメラ機能付液晶ディスプレーで目視しながら眩しいアーク光も熔接用ガスノズルとしゃ光ガラスで抑えた形態で熔接することのできるシステムである。【選択図】  図１
2005305546.tif 000002
【特許請求の範囲】
【請求項１】
アーク熔接の際、熔接中の部分及びその周辺の位置確認をするためにハロゲンランプ等の紫外線を発生せず可視部に連続スペクトルを持ち可視光量の多い照明具で照らし、この部分の反射光により目視する目的で強烈なアーク光を抑え、反射光を出来るだけ通すためしゃ光ガラスを用いてカメラ機能で透視し、これを液晶ディスプレーに写しながら熔接の際の紫外線、赤外線、放射熱並びに、眩しい光りを抑え且つ、スパッタの防止も行う照明具及びしゃ光ガラスフィルター付き透視画像表示システム。
【請求項２】
熔接中の周辺を液晶ディスプレー写し出すために用いる照明ランプの破損防止、火傷防止用保護金網の過熱防止に小型モーターファンをしゃ光保護具上部取り付け強制空冷させる方法。
【発明の詳細な説明】
【技術分野】
【０００１】  本発明は、イナートガスアーク熔接並びにマグ熔接の際の熔接部及び、その周辺の位置目視確認に関する。
【背景技術】
【０００２】  従来のしゃ光保護具は、ある度数のしゃ光ガラスでアーク光の紫外線及び強烈な光線をしゃ光しアーク光の中心部のみを目視して熔接している状態でありその前後並びにその周辺を目視することは不可能に近く又、照明具は付属されていにかった。
【発明の開示】
【発明が解決しょうとする課題】
【０００３】  解決しょうとする問題点は、熔接開始点並びに熔接中の周辺の位置が目視確認できない点である。
【０００４】  第２には、しゃ光ガラスを透過する強い光による目の疲労を防止すること並びに紫外線焼け及び、スパッタによる眼球の傷の発生防止にある。
【課題を解決するための手段】
【０００５】本発明は、しゃ光保護具に少し明るいしゃ光ガラスを使用し、その内側にカメラ機能を持った液晶ディスプレーに透視する事で熔接部からの紫外線、赤外線、放射熱並びに強烈な可視光を防ぎ且つ、ハロゲンランプ等の紫外線を発生せず連続スペクトルを持ち可視光量の多いランプで熔接部周辺を照明しディスプレーに写し出すことを主要な特徴とする。
【０００６】  又、トーチのガスノズルは少し立てぎみとし直進してくるアーク光の中心部が死角となるよう取り扱い、アーク光がディスプレーに現れ視野が見にくくなるのを防ぐ手法をとるものとする。
【発明の効果】
【０００７】  本発明の画像表示方法は、従来のしゃ光保護具に照明用ランプとしゃ光ガラス並びにカメラ機能を持たせることにより熔接開始の位置決め等で直接熔接中の部位を覗くことが少なくなり目や願への負荷を軽減することと共に溶接作業を能率的且つ、容易にする利点がある。
【０００８】  アーク熔接の部分及び、その周辺をハロゲンランプ等で照明しながら見る場合でも、ある度数のしゃ光ガラスのみではアーク光からの紫外線、赤外線並びに放射熱を多少被るので目に悪影響があり好ましくないが照明しながらしゃ光ガラスとカメラ機能付液晶ディスプレーで透視することで熔接部からの紫外線、赤外線並びに放射熱を映さず又、これを発しない形で可視光で熔接部とその周辺を目視することが可能となる。
【０００９】  アーク熔接部及びその周辺を液晶ディスプレーにより画像表示するための照明具には紫外線を発しない可視光量の多いハロゲンランプ等で行うものである。
【００１０】  本しゃ光保護具ではスパッタによる眼球の傷、紫外線による顔の皮剥け等の防止に効果があり又、熔接作業が容易となる。
【００１１】  照明ランプで照明された反射光を出来るだけ通過させ、アーク光はなるべく遮へいするようにしゃ光度番号中程度のしゃ光ガラスを用いるものとする。
【００１２】  照明用ハロゲンランプは高温となるため金網で光源から適度の位置で覆い、さらに金網を空冷放熱させるため小型のモーターファンをしゃ光保護具上部に取り付け強制冷却させるものである。
【発明を実施するための最良の形態】
【００１３】  以下、本発明の実施形態を図に基づいて説明する。【００１４】  図において、しゃ光保護具本体１は従来のしゃ光保護具と同様な材料及び構造であるがこの本体の上部表側に多光量のハロゲンランプ８を設け熔接部及び、その周辺を照明することにより熔接部周辺の目視確認がかのうとなった。【００１５】  この反射光は、しゃ光ガラス４を透しその内側にあるカメラ機能付液晶ディスプレー２に写し出されるが、アーク熔接中はアーク光が直接ディスプレーに入射してくるとディスプレーの一部が強い白色の発光しかしないため、このアーク光を上記しゃ光ガラスで抑え又、トーチのガスノズルの熔接角度を少し立てぎみとしアーク光中心部を覆うようにするものである。
【図面の簡単な説明】
【図１】しゃ光保護具の正面図である
【図２】しゃ光保護具の側面断面図である
【符号の説明】
【００１７】１    しゃ光保護具本体
２    液晶ディスプレー本体
３    液晶ディスプレー用カメラ
４    しゃ光ガラス
５    保護用板ガラス
６    取手
７    窓
８    ハロゲンランプ
９    金網
１０  モーターファン
【図１】
2005305546.tif 000003
【図２】
2005305546.tif 000004
【手続補正書】
【提出日】平成17年2月16日(2005.2.16)
【手続補正１】
【補正対象書類名】特許請求の範囲
【補正対象項目名】請求項２
【補正方法】変更
【補正の内容】
【請求項２】
熔接中の周辺を液晶ディスプレーに写し出すために用いる照明ランプの破損防止、火傷防止用保護金網の過熱防止に小型モーターファンをしゃ光保護具上部に取り付け強制空冷させる方法。
【手続補正２】
【補正対象書類名】明細書
【補正対象項目名】全文
【補正方法】変更
【補正の内容】
【発明の詳細な説明】
【技術分野】
【０００１】  本発明は、イナートガスアーク熔接並びにマグ熔接の際の熔接部及び、その周辺の位置目視確認に関する。
【背景技術】
【０００２】  従来のしゃ光保護具は、ある度数のしゃ光ガラスでアーク光の紫外線及び強烈な光線をしゃ光しアーク光の中心部のみを目視して熔接している状態でありその前後並びにその周辺を目視することは不可能に近く又、照明具は付属されていなかった。
【発明の開示】
【発明が解決しようとする課題】
【０００３】  解決しようとする問題点は、熔接開始点並びに熔接中の周辺の位置が目視確認できない点である。【０００４】  第２には、しゃ光ガラスを透過する強い光による目の疲労を防止すること並びに紫外線焼け及び、スパッタによる眼球の傷の発生防止にある。
【課題を解決するための手段】
【０００５】  本発明は、しゃ光保護具に少し明るいしゃ光ガラスを使用し、その内側にカメラ機能を持った液晶ディスプレーに透視する事で熔接部からの紫外線、赤外線、放射熱並びに強烈な可視光を防ぎ且つ、ハロゲンランプ等の紫外線を発生せず連続スペクトルを持ち可視光量の多いランプで熔接部周辺を照明しディスプレーに写し出すことを主要な特徴とする。【０００６】  又、トーチのガスノズルは少し立てぎみとして直進してくるアーク光の中心部が死角となるよう取り扱い、アーク光がディスプレーに現れ視野が見にくくなるのを防ぐ手法をとるものとする。【０００７】  アーク熔接部及び、その周辺を液晶ディスプレーにより画像表示するための照明具には紫外線を発しない可視光量の多いハロゲンランプ等で行うものである。【０００８】  照明ランプで照明された反射光を出来るだけ通過させ、アーク光はなるべく遮へいするようにしゃ光度番号中程度のしゃ光ガラスを用いるものとする。【０００９】  照明用ハロゲンランプは高温となるため金網で光源から適度の位置で覆い、さらに金網を空冷放熱させるため小型のモーターファンをしゃ光保護具上部に取り付け強制冷却させるものである。
【発明の効果】
【００１０】  本発明の画像表示方法は、従来のしゃ光保護具に照明ランプとしゃ光ガラス並びにカメラ機能を持たせることにより熔接開始の位置決め等で直接熔接中の部位を覗くことが少なくなり目や顔への負荷を軽減することとともに熔接作業を能率的且つ、容易にする利点がある。【００１１】  本しゃ光保護具ではスパッタによる眼球の傷、紫外線による顔の皮剥け等の防止に効果があり又、熔接作業が容易となる。【００１２】  アーク熔接の部分及び、その周辺をハロゲンランプ等で照明しながら見る場合でも、ある度数のしゃ光ガラスのみではアーク光からの紫外線、赤外線並びに放射熱を多少被るので目に悪影響があり好ましくないが照明しながらしゃ光カラスとカメラ機能付液晶ディスプレーで透視することで熔接部からの紫外線、赤外線並びに放射熱を写さず又、これを発しない形で可視光で熔接部とその周辺を目視することが可能となる。
【発明を実施するための最良の形態】
【００１３】  以下、本発明の実施形態を図に基づいて説明する。【００１４】  図において、しゃ光保護具本体１は従来のしゃ光保護具と同様な材料及び構造であるがこの本体の上部表側に多光量のハロゲンランプ８を設け溶接部及び、その周辺を照明することにより溶接部周辺の目視確認がかのうとなった。【００１５】  この反射光は、しゃ光ガラス４を透かしその内側にあるカメラ機能付液晶ディスプレー２に写し出されるが、アーク熔接中はアーク光が直接ディスプレーに入射してくるとディスプレーの一部が強い白色の発光しかしないため、このアーク光を上記しゃ光ガラスで抑え又、トーチのガスノズルの熔接角度を少し立てぎみとしアーク光中心部を覆うようにするものである。
【図面の簡単な説明】
【００１６】
【図１】しゃ光保護具の正面図である
【図２】しゃ光保護具の側面断面図である
【符号の説明】
【００１７】      １    しゃ光保護具本体      ２    液晶ディスプレー本体      ３    液晶ディスプレー用カメラ      ４    しゃ光ガラス      ５    保護用板ガラス      ６    取手      ７    窓      ８    ハロゲンランプ      ９きっ甲金網      １０  モーターファン